(57)【要約】【課題】  二階建てのコンテナハウスの設置に際して上段コンテナの屋根で作業をした作業員が安全に当該屋根から屋外階段ユニットの歩廊床に降りることができる構成を提供する。【解決手段】  一階から二階に続く屋根付きの屋外階段部１１と、二階の屋根付きの屋外歩廊部１２とを備えた上下二段からなる二階建てコンテナハウス２に併設される屋外階段ユニット１において、屋外歩廊部１２は、コンテナハウス２の上段コンテナ２３の床に連続する歩廊床１２１と、上段コンテナ２３の上縁に連接して構成された歩廊屋根１２２とからなり、歩廊屋根１２２の上段コンテナ２３の上縁側に、人が歩廊床１２１と上段コンテナ２３の屋根との間を上り下りする開閉部３が設けられていることを特徴とする。【選択図】    図２
2019027127.tif 000002
【特許請求の範囲】
【請求項１】
一階から二階に続く屋根付きの屋外階段部と、二階の屋根付きの屋外歩廊部とを備えた上下二段からなる二階建てコンテナハウスに併設される屋外階段ユニットにおいて、
前記屋外歩廊部は、前記コンテナハウスの上段コンテナの床に連続する歩廊床と、前記上段コンテナの上縁に連接して構成された歩廊屋根とからなり、
前記歩廊屋根の前記上段コンテナの前記上縁側に、人が前記歩廊床と前記上段コンテナの屋根との間を上り下りする開閉部が設けられていることを特徴とする屋外階段ユニット。
【請求項２】
二階から三階に続く屋根付きの屋外階段部と、三階の屋根付きの屋外歩廊部とを備えた上下三段からなる三階建てコンテナハウスに併設される屋外階段ユニットにおいて、
前記屋外歩廊部は、前記コンテナハウスの最上段コンテナの床に連続する歩廊床と、前記最上段コンテナの上縁に連接して構成された歩廊屋根とからなり、
前記歩廊屋根の前記最上段コンテナの前記上縁側に、人が前記歩廊床と前記最上段コンテナの屋根との間を上り下りする開閉部が設けられていることを特徴とする屋外階段ユニット。
【請求項３】
前記開閉部は四角形をなし、その一辺が前記歩廊屋根と前記上段コンテナの屋根との境界に一致するように配置されたことを特徴とする請求項１または２に記載の屋外階段ユニット。
【請求項４】
前記開閉部は開閉扉を備え、当該開閉扉はスライド機構により開閉することを特徴とする請求項１または２に記載の屋外階段ユニット。
【請求項５】
前記開閉部は開閉扉を備え、当該開閉扉はヒンジ機構により開閉することを特徴とする請求項１または２に記載の屋外階段ユニット。
【発明の詳細な説明】
【技術分野】
【０００１】
本発明は、二階建て（または三階建て）のコンテナハウスに併設される屋外階段ユニットに関し、たとえば、コンテナハウスの構築に際して上段コンテナの屋根で作業を終えた作業員が安全に前記屋根から二階（または三階）の歩廊床に降りることができ、またはコンテナハウスの撤収に際して安全に前記歩廊床から前記屋根に上ることができる屋外階段ユニットに関する。
【背景技術】
【０００２】
建築現場における事務室・宿泊施設等、短期（具体的には、たとえば数ヶ月から数十ヶ月以内）の居住空間を構築するために、コンテナハウス（ユニットハウスとも称されることがある）が使用される。
たとえば、二階建てのコンテナハウス８は、図１１（Ａ）の正面図，図１１（Ｂ）の側面図に示すように、下段コンテナ８１，８２と上段コンテナ８３，８４との上下二段のコンテナから構成され、通常、屋外階段ユニット９が併設される。
屋外階段ユニット９は、階段部９１と歩廊部９２とからなる。
階段部９１は、階段９１１と階段屋根９１２と階段手摺９１３とからなり、歩廊部９２は、歩廊床９２１と歩廊屋根９２２と歩廊手摺９２３とからなる。
屋外階段ユニット９の構築に際しては、次に述べるように（Ｉ）の歩廊部９２の施工の後、（ＩＩ）の階段部９１の施工が行われる。
（Ｉ）まず、図１２（Ａ）の正面図，図１２（Ｂ）の側面図に示すように、下段コンテナ８１，８２に上段コンテナ８３，８４を積み重ねた後、図１３（Ａ）の正面図，図１３（Ｂ）の側面図に示すように歩廊床９２１と階段９１１とを施工する。階段９１１の施工に際しては、その上部が歩廊床９２１に連結される。この連結部分を図１３（Ａ）では符号Ｘ１で示す。
歩廊床９２１の施工に際しては、歩廊床９２１を下端が地面に固定された歩廊支柱Ｐ０により支持固定する。歩廊床９２１と、上段コンテナ８３の下辺部とが連結される。この連結部分を図１３（Ｂ）では符号Ｘ２で示す。
（ＩＩ）次いで、図１４（Ａ）の正面図，図１４（Ｂ）の側面図に示すように歩廊床９２１に歩廊手摺９２３を取り付ける。図１４（Ａ），（Ｂ）では図示していないが、この後、歩廊屋根支柱Ｐ２により歩廊屋根９２３を取り付ける。
また、階段９１１に階段手摺９１３を取り付ける。（Ａ），（Ｂ）では図示していないが、この後階段屋根支柱Ｐ１により階段９１１に階段屋根９１２を取り付ける。
これにより、図１１（Ａ），（Ｂ）に示した屋外階段ユニット９が併設されたコンテナハウス８の施工が終了する。
【０００３】
一方、コンテナハウス８の撤収に際しては、次に述べるように（Ｉ’）の階段部９１の撤収の後、（ＩＩ’）の歩廊部９２の撤収が行われる。
（Ｉ’）まず、階段屋根９１２と階段手摺９１３と歩廊屋根９２２と歩廊手摺９２３とを撤去する。
（ＩＩ’）次いで、階段９１１と歩廊床９２１とを撤去した後、下段コンテナ８１，８２から上段コンテナ８３，８４を分離する。
【先行技術文献】
【特許文献】
【０００４】
【特許文献１】特開２００４−２３８８００
【発明の開示】
【発明が解決しようとする課題】
【０００５】
ところで、通常のコンテナの高さは約２．６ｍであるので、地面から上段コンテナ８３，８４の屋根までの高さは５ｍを越える。
上述した（Ｉ）の歩廊部９２の施工に際しては、作業員は上段コンテナ８３，８４の屋根に上がって作業をする必要がある。図１５に示すように、作業員Ｍは歩廊床９２１に歩廊屋根９２３を取り付け終えた後、梯子を用いて上段コンテナ８２３，８４屋根から一階地面に下りなければならない。
逆に、（ＩＩ’）の歩廊部９２の撤収に際しては、作業員Ｍは地面から上段コンテナの屋根に梯子を使って上り、歩廊屋根９２３での作業（歩廊屋根９２３の取り外し等）をしなければならない。
以上のように、梯子により、５ｍ以上の高さを上り下りすることは、梯子がもともと不安定なことから、作業員の安全が確保できない。
【０００６】
本発明の目的は、二階建て（または三階建て）のコンテナハウスの設置に際して上段コンテナの屋根で作業をした作業員が安全に当該屋根から屋外階段ユニットの歩廊床に降りることができ、または二階建て（または三階建て）のコンテナハウスの撤収に際して安全に前記歩廊床から前記二階建て（または三階建て）のコンテナハウスの屋根（すなわち、上段コンテナの屋根）に上ることができる構成を提供することである。
【課題を解決するための手段】
【０００７】
本発明の屋外階段ユニットは、以下を要旨とする。
（１）  一階から二階に続く屋根付きの屋外階段部と、二階の屋根付きの屋外歩廊部とを備えた上下二段からなる二階建てコンテナハウスに併設される屋外階段ユニットにおいて、
前記屋外歩廊部は、前記コンテナハウスの上段コンテナの床に連続する歩廊床と、前記上段コンテナの上縁に連接して構成された歩廊屋根とからなり、
前記歩廊屋根の前記上段コンテナの前記上縁側に、人が前記歩廊床と前記上段コンテナの屋根との間を上り下りする開閉部が設けられていることを特徴とする屋外階段ユニット。
（２）  二階から三階に続く屋根付きの屋外階段部と、三階の屋根付きの屋外歩廊部とを備えた上下三段からなる三階建てコンテナハウスに併設される屋外階段ユニットにおいて、
前記屋外歩廊部は、前記コンテナハウスの最上段コンテナの床に連続する歩廊床と、前記最上段コンテナの上縁に連接して構成された歩廊屋根とからなり、
前記歩廊屋根の前記最上段コンテナの前記上縁側に、人が前記歩廊床と前記最上段コンテナの屋根との間を上り下りする開閉部が設けられていることを特徴とする屋外階段ユニット。
【０００８】
本発明において、前記開閉部の形状は、典型的には四角形である。
前記開閉部の形状が、四角形の場合、その一辺が前記歩廊屋根部と前記上段コンテナの屋根との境界に一致するように配置される。
前記開閉部は開閉扉を備え、当該開閉扉はスライド機構により開閉するようにしてもよいし、ヒンジ機構により開閉するようにしてもよい。
前記開閉扉がスライド機構により開閉する場合には、前記歩廊屋根部の屋根面の上側でスライドするように構成することもできるし、下側でスライドするように構成することもできる。
また、前記開閉扉がヒンジ機構により開閉する場合には、前記開閉扉は前記歩廊屋根部の屋根面の上側に開くように構成することができるし、下側に開くように構成することができる。
【０００９】
本発明におけるコンテナハウスは、以下を要旨とする。
「一階から二階に続く屋根付きの屋外階段部と、二階の屋根付きの屋外歩廊部とを備えた上下二段からなる二階建てコンテナハウスにおいて、
前記屋外歩廊部が、下段コンテナに設けた支持部材（たとえば法杖）により支持されていることを特徴とする屋外階段ユニット。」
【００１０】
本発明によるコンテナハウスの施工方法は、以下を要旨とする。
「一階から二階に続く屋根付きの屋外階段部と、二階の屋根付きの屋外歩廊部とを備えた上下二段からなる二階建てコンテナハウスの設置・撤収方法において、
設置工程は、
下段コンテナに前記屋外歩廊部の歩廊床を前記下段コンテナに設けた支持部材（たとえば法杖）により取り付ける工程の後に、下段コンテナに上段コンテナを載置する工程を含み、
を含み、
撤収工程は、
下段コンテナから上段コンテナを分離する工程の後に、前記屋外歩廊部の歩廊床を前記下段コンテナから取り外す工程、
を含むことを特徴とする屋外階段ユニット。」
開閉部の形状は、人が通り抜けできる大きさであれば典型的には四角形であるが、円形・楕円形を排除するものではない
開閉部の形状が、四角形の場合、その一辺が歩廊屋根部と上段コンテナの屋根との境界に一致するように配置される。すなわち、開閉部が、歩廊屋根部の上段コンテナ側に設けられるので、開閉部を開けたときに、歩廊屋根に負荷をかけずに、脚立により上段コンテナの屋根に上ることができるし、上段コンテナの屋根から脚立に下りることもできる。
開閉部は開閉扉を備え、スライド機構により開閉するようにしてもよい。この場合、開閉扉は、どの方向にスライドしてもよいが、典型的には、コンテナハウスの上縁に対して垂直または平行にスライドするように構成することが好ましい。
また、開閉扉は、ヒンジ機構（蝶番機構）により開閉するようにしてもよい。この場合、開閉扉は、一枚により構成することもできるし、二枚により構成して真ん中から左右に開くいわゆる観音開きとすることもできる。
開閉扉がヒンジ機構により開閉する場合には、開閉扉は歩廊屋根部の屋根面の下側に開閉するように構成いてもよいし、上側に開くように構成することができる。
【００１１】
なお、本発明は三段のコンテナハウスにも適用され、以下を要旨とする。
「二階から三階に続く屋根付きの屋外階段部と、三階の屋根付きの屋外歩廊部とを備えた上下三段からなる三階建てコンテナハウスに併設される屋外階段ユニットにおいて、
前記屋外歩廊部は、前記コンテナハウスの最上段コンテナの床に連続する歩廊床と、前記最上段コンテナの上縁に連接して構成された歩廊屋根とからなり、
前記歩廊屋根の前記最上段コンテナの前記上縁側に、人が前記歩廊床と前記最上段コンテナの屋根との間を上り下りする開閉部が設けられていることを特徴とする屋外階段ユニット。」
開閉部の構造は、三階建てコンテナハウスに併設される屋外階段ユニットにおけるものと同様である。
【発明の効果】
【００１２】
本発明では、二階建てのコンテナハウスの設置に際して上段コンテナの屋根で作業をした作業員が安全に当該屋根から屋外階段ユニットの歩廊床に降りることができ、または二階建てのコンテナハウスの撤収に際して安全に前記歩廊床から前記二階建てのコンテナハウスの屋根（すなわち、上段コンテナの屋根）に上ることができる。
また、本発明では、三階建てのコンテナハウスの設置に際して最上段コンテナの屋根で作業をした作業員が安全に当該屋根から屋外階段ユニットの歩廊床に降りることができ、または三階建てのコンテナハウスの撤収に際して安全に前記歩廊床から前記三階建てのコンテナハウスの屋根（すなわち、最上段コンテナの屋根）に上ることができる。
本発明では、開閉扉を一枚により構成してヒンジにより開閉するように構成した場合には、開閉扉を開いたときに強風によりヒンジが壊れる懸念がある。開閉扉を二枚により構成して観音開きとする場合にはこの懸念は緩和され、さらに開閉扉をスライド機構により開閉するように構成した場合にはこの懸念は解消される。
【図面の簡単な説明】
【００１３】
【図１】図１は本発明の一実施形態を示す説明図であり、（Ａ）は屋外階段ユニット１が並列された二階建てコンテナハウス２の正面図、（Ｂ）は同じく側面図である。
【図２】図２（Ａ）は歩廊屋根１２２の下面図、（Ｂ）は同じく上面図である。
【図３】図３は、開閉部３の近傍の詳細説明図であり、（Ａ）は開閉部３の側面説明図、（Ｂ）は開閉部３の正面説明図である。
【図４】図４はスライド機構により開閉する開閉部４の近傍の拡大図であり、（Ａ）歩廊屋根１２２を上から見た図、（Ｂ）は同じく下から見た図、（Ｃ）は（Ａ）における矢視Ｊ−Ｊ方向の開閉部４の断面説明図、（Ｄ）は（Ａ）における矢視Ｋ方向から見た開閉部４の説明図である。
【図５】図５は開閉扉４２の説明図であり、（Ａ）は開閉扉４２により開口４１を閉じた状態を示す図、（Ａ）は開閉扉４２により開口４１を開いた状態を示す図である。
【図６】図６は屋外階段ユニット１および併設された二階建てコンテナハウスの全体図であり、（Ａ）は正面図、（Ｂ）は側面図である。
【図７】図７は上段コンテナ２３，２４の設置の様子を示す説明図であり、（Ａ）は正面図、（Ｂ）は側面図である。
【図８】図８は階段手摺１１３および歩廊手摺１２３の施工の様子を示す説明図であり、（Ａ）は正面図、（Ｂ）は側面図である。
【図９】図９は階段屋根１１２、歩廊屋根１２２の取り付け後の様子を示す説明図であり、（Ａ）は正面図、（Ｂ）は側面図である。
【図１０】図１０は階段屋根１１２、歩廊屋根１２２の取り外し前の様子を示す説明図であり、（Ａ）は正面図、（Ｂ）は側面図である。
【図１１】図１１は従来の屋外階段ユニット９が併設された上下二段のコンテナを示す説明図であり、（Ａ）は正面図，（Ｂ）は側面図である。
【図１２】図１２は下段コンテナ８１，８２に上段コンテナ８３，８４を積み重ねた様子を示す説明図であり、（Ａ）は正面図，（Ｂ）は側面図である。
【図１３】図１３は歩廊床９２１と階段９１１とを施工した状態を示す説明ずであり（Ａ）は正面図，（Ｂ）は側面図である。
【図１４】図１４は歩廊床９２１に歩廊手摺９２３を取り付けた状態を示す説明図であり。（Ａ）は正面図，（Ｂ）は側面図である。
【図１５】図１５は、従来技術の問題点を示す図である。
【発明を実施するための最良の形態】
【００１４】
図１は本発明の一実施形態を示す説明図であり、（Ａ）は屋外階段ユニット１が並列配置された二階建てコンテナハウス２の正面図、（Ｂ）は同じく側面図である。
図１（Ａ），（Ｂ）において、二階建てコンテナハウス２は下段コンテナ２１，２２と上段コンテナ２３，２４の上下二段からなる。
【００１５】
下段コンテナ２１，２２は並列配置（横並び配置）され、下段コンテナ２１の上に上段コンテナ２３が、下段コンテナ２２の上に上段コンテナ２４が載置されている。
二階建てコンテナハウス２には、屋外階段ユニット１が併設されている。
屋外階段ユニット１は、一階から二階に続く屋根付きの屋外階段部１１と、二階高さに設けられる屋根付きの屋外歩廊部１２とを備えている。
歩廊床１２１は、法杖５により下部コンテナ２１の隅柱２１１，２１２に取り付けられている。
屋外階段部１１は、階段１１１と階段屋根１１２と階段手摺１１３とを備えている。
階段１１１および階段手摺１１３は、本実施形態ではスチールからなり、階段１１１は、最上部で後述する歩廊床１２１に連結されている。
【００１６】
階段屋根１１２は、合成樹脂製の屋根材がスチール製フレームに取り付けられて構成されている。階段屋根１１２は、スチール製の支柱Ｐ１により階段１１１に支持されている。
屋外歩廊部１２は、歩廊床１２１と歩廊屋根１２２と歩廊手摺１２３とを備えている。
歩廊床１２１および階段手摺１１３は、本実施形態ではスチールからなり、歩廊床１２１は、上段コンテナ２３の床に連続している。
本実施形態では、歩廊屋根１２２は、スチール製フレームに合成樹脂製の屋根材が取り付けられて構成されている。
歩廊屋根１２２は、スチール製の支柱Ｐ２により歩廊床１２１に支持されている。
歩廊屋根１２２の、上段コンテナ２３側の端縁１２２１は上段コンテナ２３の屋根に連接して構成されている。
【００１７】
図２（Ａ）は歩廊屋根１２２の下面図、（Ｂ）は同じく上面図である。
図２（Ａ），（Ｂ）に示すように、歩廊屋根１２２の端縁１２２１側には、人が歩廊床１２１と上段コンテナ２３の屋根との間を上り下りする開閉部３が設けられている。
図２（Ｃ）は、開閉部３の開閉説明図であり開閉扉３２が開口３１を半開した状態を示している。
本実施形態では、開閉部３は四角形をなし、その一辺が端縁１２２１に一致するように配置される。
本実施形態では、開閉部３は、歩廊屋根１２２の屋根材（合成樹脂材）と同一の材料により構成することもできるし、スチール材料等、他の材料により構成することもできる。
【００１８】
図３は開閉部３の近傍の詳細説明図であり、（Ａ）は開閉部３の側面説明図、（Ｂ）は開閉部３の正面説明図である。
開閉部３は、歩廊屋根１２２に形成した四角形の開口３１と、開口３１をヒンジ３１３により閉塞または開放する開閉扉３２とを備えている。
本実施形態では、ヒンジ３１３は
図３（Ａ），（Ｂ）では、開口３１の周囲には止水壁３１２が設けられている。止水壁３１２は歩廊屋根１２２の面に垂直な細板からなる。
開閉扉３２は、開口３１を覆う四角形状をなし、四辺は下方に向けて垂直に折り曲げられている
開閉扉３２は、上段コンテナ２３側とは反対側の辺に、歩廊屋根１２２にヒンジ３１３により回動できるように取り付けられている。
なお、図示はしないが、たとえば歩廊屋根１２２の端縁１２２１には、開閉扉３２を歩廊屋根１２２に固定するための適宜のジグ（例えば、ビス等）を設けることができる。このジグにより、開閉扉３２の端縁１２２１側の辺を、閉位置（開閉扉３２が閉じた位置）にロックすることができる。
【００１９】
図４はスライド機構により開閉する開閉部４の近傍の拡大図であり、（Ａ）歩廊屋根１２２を上から見た図、（Ｂ）は同じく下から見た図である。また、図４（Ｃ）は図４（Ａ）における矢視Ｊ−Ｊ方向の開閉部４の断面説明図、図４（Ｄ）は図４（Ａ）における矢視Ｋ方向から見た開閉部４の説明図である。
図４（Ａ）−（Ｄ）に示すように、開閉部４は、歩廊屋根１２２に形成した四角形の開口４１と、開口４１を閉塞または開放するスライド式の開閉扉４２とを備えている。開閉扉４２は、下面に取手ＮＢを有している。
開口４１の周囲には止水壁４１２が設けられている。止水壁４１２のスライド方向に垂直な２辺２辺４１２１，４１２２は、図４（Ｄ）に示すように歩廊屋根１２２の面に垂直な細板からなり、止水壁４１２のスライド方向に平行な２辺４１２３，４１２４は、図４（Ｃ）に示すように歩廊屋根１２２の面から垂直に立ち上がり開口４１とは反対側に折れ曲がる逆Ｌ字形状をなしかつ、端縁１２２１と反対側の方向に延設されている。
開閉扉４２は、図４（Ｃ）に示すように、開口４１を覆う四角形状をなし、上述した２辺４１２３，４１２４に対応する２辺は、下側に鉤状（コ字形状）に折り曲げられている。
【００２０】
図５は開閉扉４２の説明図であり、（Ａ）は開閉扉４２により開口４１を閉じ状態を示し、（Ａ）は開閉扉４２により開口４１を開いた状態を示している。
図５に示すように、２辺４１２３，４１２４はスライドするガイドとして機能するので、開閉扉４２は、２辺４１２３，４１２４に沿って摺動できる。
以上述べたように本発明では、開閉部４は、歩廊屋根１２２のコンテナ１２３側に設けられている。したがって、ヒンジ式の開閉扉３またはスライド式の開閉扉４を開けたときに、歩廊床１２１から上段コンテナ２３の屋根に直接（歩廊屋根１２２に負荷をかけずに）脚立を利用して上ることができ、上段コンテナ２３の屋根から歩廊床１２１に直接（歩廊屋根１２２に負荷をかけずに）脚立を利用して降りることができる。したがって、作業員の安全が確保される。
【００２１】
次に、図１に示した屋外階段ユニット１が併設された二階建てコンテナハウス２の施工手順について説明する。
図６は屋外階段ユニット１および併設された二階建てコンテナハウスの全体図であり、（Ａ）は正面図、（Ｂ）は側面図である。
まず、図６（Ａ），（Ｂ）に示すように、下段コンテナ２１，２２を並列配置する。
図１１〜図１５において説明した従来技術では、この後直ちに上段コンテナ８３，８４の施工（下段コンテナ８１，８２への載置）を行っていた。
これに対し、本実施形態では、屋外歩廊部１２の施工後に、上段コンテナ２３，２４の施工を行う（後述する図７参照）。
また、図１１〜図１５において説明した従来技術では、上段コンテナ８３に歩廊床９２１を連結することで歩廊床９２１の安定を図っていたが、本実施形態では、歩廊床１２１は、下段コンテナ２１の上部から迫り出すように下段コンテナ２１に固定される。
歩廊床１２１の下段コンテナ２１への固定は、下段コンテナ２１の隅柱２１１，２１２（後述する図７参照）に設けた法杖５により支持される。
本実施形態では、歩廊床１２１の高さは、上段コンテナ２３（図６では図示していない）を下段コンテナ２１に載置したときの、上段コンテナ２３の床面の高さとほぼ同じに設定してある。
なお、従来技術では、使用されていた支柱Ｐ０（図１４等参照参照）を使用しただけでは歩廊床９２１は不安定になるが、本実施形態では法杖５を使用しているので、歩廊床１２１が不安定になるといった問題は生じない。
【００２２】
図７（Ａ）は上段コンテナ２３，２４の設置の様子を示す正面図、図７（Ｂ）は同じく側面図である。
上段コンテナ２３，２４の設置に際し、歩廊床１２１は施工作業に際しての作業員Ｍの足場として使用することができる。
本実施形態では、図７（Ａ），（Ｂ）に示すように、階段１１１を施工した後に上段コンテナ２３を設置しているが、歩廊床１２１を上段コンテナ２３に設置した後に階段１１１を施工してもよい。
【００２３】
図８（Ａ）は、階段屋根１１２、階段手摺１１３および歩廊屋根１２２、歩廊手摺１２３の施工の様子を示す正面図、図６（Ｂ）は同じく側面図である。
上段コンテナ２３，２４の設置および階段１１１の施工の後、図８（Ａ），（Ｂ）に示すように、階段１１１に階段手摺１１３を、歩廊床１２１に歩廊手摺１２３を取り付ける。
階段手摺１１３および歩廊手摺１２３の取り付け後、階段１１１に階段屋根１１２を、歩廊床１２１に歩廊屋根１２２を取り付ける。
歩廊屋根１２２の歩廊床１２１への取り付けに際し、作業員Ｍは脚立や梯子を用いて歩廊床１２１から上段コンテナ２３の屋根に上り、当該屋根上で作業をすることができる。
【００２４】
図９（Ａ）は階段屋根１１２、歩廊屋根１２２の取り付け後の様子を示す正面図、図９（Ｂ）は同じく側面図である。
図９に示すように、階段屋根１１２、歩廊屋根１２２の取り付け後、作業員Ｍは開閉扉３２を開け、脚立や梯子（同図では脚立６）を用いて上段コンテナ２３の屋根から歩廊床１２１に下りることができる。
一方、二階建てコンテナハウス２の撤収に際しては、設置の工程とは概ね逆の工程により行う。
まず、歩廊屋根１２２の取り外し作業を行う。
図１１〜図１５において説明した従来技術では、作業員は歩廊屋根１２２に一階（地面）から梯子を用いて上らなくてはならならず、作業員の安全を確保することが容易ではなかった。
【００２５】
図１０（Ａ）は、階段屋根１１２、歩廊屋根１２２の取り外し前の様子を示す正面図、図１０（Ｂ）は同じく側面図である。
図１０（Ａ），（Ｂ）に示すように、作業員は脚立や梯子を用いて、開閉扉４２から上段コンテナ２３の屋根に上り、当該屋根上で、歩廊屋根１２２とコンテナ２３との結合の解除等、歩廊屋根１２２の取り外し作業をすることができる。
次に、歩廊屋根１２２の取り外し階段屋根１１２の取り外しも行い、また、歩廊手摺２１２および階段手摺１１３の取り外しも行う。
図１０（Ａ）は上段コンテナ２３，２４を下段コンテナ２１，２２から離脱する前の様子を示す正面図、図１０（Ａ）は同じく側面図である。
本実施形態では、歩廊床１２１は下段コンテナ２１に取り付けられており上段コンテナ２３には取り付けられていないので、作業員は歩廊床１２上で上段コンテナ２３の離脱作業を行うことができる。なお、上段コンテナ２４の下段コンテナ２３からの離脱も併せて行う。
この後、階段１１１を取り外すが、この取り外しに際して作業員は歩廊床１２１上で、階段１１１と歩廊床１２１との結合解除作業を行うことができる。
最後に、下段コンテナ２１に取り付けられている歩廊床１２１を下段コンテナ２１から取り外す。
【００２６】
以上述べたように、本実施形態では、歩廊床１２１は、下段コンテナ１２１に法杖５により結合されている。
しがたって、屋外階段ユニットが併設された二階建てコンテナハウスの構築において、上段コンテナ２３を下段コンテナ２１上に載置する前に歩廊床１２１を施工できる。したがって、上段コンテナ２３を下段コンテナ２１上に載置する工程において、作業員は歩廊床１２１上で作業を行うことができる。
また、屋外階段ユニットが併設された二階建てコンテナハウスの撤収において、歩廊床１２１の取り外しの前に、上段コンテナ２３を下段コンテナ２１上から離脱することができる。したがって、上段コンテナ２３を下段コンテナ２１上から離脱する工程において、作業員は歩廊床１２１上で作業を行うことができる。
なお、図１１〜図１５において説明した従来技術では、歩廊床９２１は上段コンテナ８３の下辺に結合されていないと不安定となるので（図１４の符号Ｘ２参照）、歩廊床９２１を撤去の際の足場として、歩廊床９２１を用いることは実際にはできない。したがって、上段コンテナ８３の屋根の上で歩廊屋根９２３の撤去作業を行った作業員、梯子により一階（地面）に降りなくてはならず作業員の安全が確保できない。
これに対し、本実施形態では上述したように、歩廊床１２１は下段コンテナ２１上に取り付けられている。したがって、上段コンテナ２３を下段コンテナ２１から離脱する際に、上段コンテナ２３の屋根で作業をしていた作業員は歩廊床１２１上に降りることができるので、作業員の安全が確保できる。
【符号の説明】
【００２７】
１  屋外階段ユニット
２  コンテナハウス２
３  開閉部
１１  屋外階段部
１２  屋外歩廊部
２１，２２  下段コンテナ
２３，２４  上段コンテナ。
３１，４１  開口
３２，４２  開閉扉
１１１  階段
１１２  階段屋根
１１３  階段手摺
１２１  歩廊床
１２２  歩廊屋根
１２３  歩廊手摺
２１１，２１２  隅柱
４１２  止水壁
４１２１，４１２２，４１２３，４１２４  止水壁の辺
【図１】
2019027127.tif 000003
【図２】
2019027127.tif 000004
【図３】
2019027127.tif 000005
【図４】
2019027127.tif 000006
【図５】
2019027127.tif 000007
【図６】
2019027127.tif 000008
【図７】
2019027127.tif 000009
【図８】
2019027127.tif 000010
【図９】
2019027127.tif 000011
【図１０】
2019027127.tif 000012
【図１１】
2019027127.tif 000013
【図１２】
2019027127.tif 000014
【図１３】
2019027127.tif 000015
【図１４】
2019027127.tif 000016
【図１５】
2019027127.tif 000017